(57)【特許請求の範囲】
【請求項１】
円筒状の支柱を囲む中空状本体と、該中空状支柱の外面に相対向して設けられた取付溝間に再帰反射体の両端部分が挿入されることで再帰反射体が取り付けられ、前記本体の内面に設けられた支柱当接部と支柱受け部との間に支柱が挟まれるようになされた再帰反射性標識体であって、前記支柱受け部は前記支柱の外面の少なくとも一部において曲率に沿うようになされると共に、前記中空状本体に対して取付手段により取り付けられるようになされ、前記中空状本体は、同じ枠体が二体用いられ、その一方を支柱受け部により前記支柱に取り付けられる直接取付部とし、他の一方を前記直接取付部に取り付けられる間接取付部として、それらを上下逆にして、両枠体の端縁に設けられた固定用縁部が重ね合わされて締結手段により締結されて、間接取付部が直接取付部に取り付けられるようになされていることを特徴とする再帰反射性標識体。
【請求項２】
前記支柱当接部は、複数の凸状部が間隔をおいて設けられた曲面となされ、該曲面を支柱受け部側に向けて、前記枠体の内面に形成されていることを特徴とする請求項１に記載の再帰反射性標識体。
【発明の詳細な説明】
【技術分野】
【０００１】
本発明は、主に道路周辺に設置され、支柱周囲に再帰反射体が取り付けられて視線誘導標や線形誘導標等として用いられる再帰反射性標識体に関するものである。
【背景技術】
【０００２】
従来、支柱の周囲に再帰反射体を取り付けた標識体としては、例えばプリズム式広角度反射体による複数の視線誘導が取り付けられた可とう性の貼付用延部を支柱に巻掛固定させた視線誘導標識器具が開示されている（例えば特許文献１）
【０００３】
また、左右両側に非平行状となる平板部を形成すると共に、当該平板部の両端長手方向に沿ってガイド部を形成してなるアルミ合金製の中空状支柱本体と、この支柱本体の平板部の下方位置ほぼ中央に突設するストッパーと、前記支柱本体に形成したガイド部によって案内され、支柱本体の平板部に面接触し得る反射板および／またはこの反射板の長手方向長さの倍の長さを有する距離標、地点標の如き標示板と、支柱本体の上面に嵌着固定する合成樹脂製の蓋体とから構成され、支柱本体の上面から蓋体を外し、支柱本体のガイド部によって案内させて平板部の前面に反射板および／または標示板を選択的に差し込み、最下端の反射板または標示板を前記ストッパーにより係止させ、支柱本体の上面に蓋体を嵌着固定するようにした多機能型視線誘導標が開示されている（例えば特許文献２）。
【０００４】
【特許文献１】登録実用新案第３０３０８６３号公報
【特許文献２】登録実用新案第３０４６０４２号公報
【発明の開示】
【発明が解決しようとする課題】
【０００５】
しかしながら、特許文献１に記載のような従来の再帰反射性標識体では、可とう性の貼付用延部を用いて再帰反射体を固定していることから、再帰反射体が支柱に対して強固に固定されず、長期の使用において貼付用延部自体や接着手段等が劣化して再帰反射体が脱落する恐れがある。
【０００６】
また特許文献２に記載のような再帰反射性標識体では、支柱の外径が一種類のものしか対応することができず、複数種類の支柱に取り付け可能とするには中空状支柱本体ごと新たに製作する必要があり、金型等の投資が必要となってコスト高に繋がるものであった。
【０００７】
本発明は上記の如き課題に鑑みてなされたものであり、長期に亘って再帰反射体を支柱に対して固定することができ、また複数種類の外径の支柱に対しても一種類の本体を用いて取り付け可能となされた再帰反射性標識体を提供せんとするものである。
【課題を解決するための手段】
【０００８】
上記目的を達成するため、本発明は以下のような構成としている。すなわち、本発明に係わる再帰反射性標識体は、円筒状の支柱を囲む中空状本体と、該中空状支柱の外面に相対向して設けられた取付溝間に再帰反射体の両端部分が挿入されることで再帰反射体が取り付けられ、前記本体の内面に設けられた支柱当接部と支柱受け部との間に支柱が挟まれるようになされた再帰反射性標識体であって、前記支柱受け部は前記支柱の外面の少なくとも一部において曲率に沿うようになされると共に、前記中空状本体に対して取付手段により取り付けられるようになされ、前記中空状本体は、同じ枠体が二体用いられ、その一方を支柱受け部により前記支柱に取り付けられる直接取付部とし、他の一方を前記直接取付部に取り付けられる間接取付部として、それらを上下逆にして、両枠体の端縁に設けられた固定用縁部が重ね合わされて締結手段により締結されて、間接取付部が直接取付部に取り付けられるようになされていることを特徴とするものである。
【０００９】
本発明に係わる再帰反射性標識体によれば、中空状本体に再帰反射体が取り付けられ、且つ支柱受け部が支柱外面の曲率に沿うようになされていることで、再帰反射体を支柱に対して長期に亘って安定して固定することができ、また支柱受け部が取付手段により中空状本体に取り付けられることで、支柱の外径に応じて支柱受け部を変更しての取り付けが可能となり、複数種類の外径の支柱に対しても一種類の中空状本体を用いて取り付け可能とすることができる。
【００１０】
また前記中空状本体は、支柱受け部により前記支柱に取り付けられる直接取付部と、該直接取付部に取り付けられる間接取付部とを備えていれば、直接取付部を支柱に取り付けた後に間接取付部を取り付けられることで、支柱受け部の取り付けを容易に行うことができるようになり好ましい。
【発明の効果】
【００１１】
本発明に係わる再帰反射性標識体によれば、中空状本体に再帰反射性標識体が取り付けられ、且つ支柱受け部が支柱外面の曲率に沿うようになされていることで、再帰反射体を再帰反射体を支柱に対して長期に亘って安定して固定することができ、また支柱受け部が取付手段により中空状本体に取り付けられることで、支柱の外径に応じて支柱受け部を変更しての取り付けが可能となり、複数種類の外径の支柱に対しても一種類の中空状本体を用いて取り付け可能とすることができる。
【発明を実施するための最良の形態】
【００１２】
本発明に係わる最良の実施の形態について、図面に基づき以下に具体的に説明する。
【００１３】
図１は、本発明に係わる再帰反射性標識体の、実施の一形態を示す斜視図である。再帰反射性標識体１０は、円筒状の支柱２０の周りを囲むように断面六角形状の中空状本体１が取り付けられ、中空状本体１の外面にはそれぞれプリズム反射体である再帰反射体２が取り付けられて形成されたものである。かかる再帰反射性標識体１０は、中央分離帯の端縁や交差点の中央などに設置されて線形誘導を行ったり、道路の側縁に設置されて視線誘導を行ったりするものであり、再帰反射体２の取り付けは各々の用途に応じて再帰反射が必要な方向に行われる。
【００１４】
図２は、図１のＡ−Ａ断面を示すもので、２種類の外径を有する支柱２０に対して取り付けを行った状態を比較する断面図である。まず（ａ）は、比較的小さい外径の支柱２０Ａに対して再帰反射性標識体１０を取り付けた状態であり、中空状本体１の外面には相対向して開口された取付溝１３が設けられている。取付溝１３には、断面凸字状に形成された再帰反射体２の両端部分２１が挿入されて取り付けられ、再帰反射体２は中空状本体１の上端又は下端から摺動させて取り付け可能となされている。
【００１５】
中空状本体１の内面には、支柱当接部３が一体に設けられ、支柱２０の外面が当接されている。支柱２０を挟んで、支柱当接部と相対向して支柱受け部４が設けられている。支柱受け部４は、支柱２０の外径の曲率に沿うようになされた曲面状の曲面部４１と、中空状本体１に取り付けるための曲面部４１の両端に設けられた平板状の取付部４２とを備え、取付部４２が、ビスである取付手段５により中空状本体１の内面に設けられた取付板部１４と共に締結されることで取り付けられている。支柱受け部４は取付手段５をねじ込むことで、支柱当接部３と支柱受け部４との間に支柱２０が挟み込まれ、支柱２０に中空状本体１が固定されるようになされている。
【００１６】
ここで中空状本体１は、断面六角形を形成する三面分が直接取付部１１となされ、他方の三面分が間接取付部１２となされており、直接取付部１１の端縁に設けられた固定用縁部１５と、間接取付部１２に設けられた固定用縁部１５とが重ね合わされて、締結手段１６により締結されることで、間接取付部１２が直接取付部１１に取り付けられる。かかる構造により、支柱受け部４の取付時には間接取付部１２が取り外されて中空状本体１の背面側が開放されていることで、支柱受け部４の直接取付部１１への取り付けにおいて取付手段５の締結を容易に行うことができ、また各々が剛性の高い部材でそれらをビス等により強固に固定することで、長期に亘って安定して固定することに繋げることができる。
【００１７】
（ｂ）は比較的大きい外径の支柱２０Ｂに対して取り付けた状態を示す断面図である。直接取付部１１及び間接取付部１２からなる中空状本体１は（ａ）に示したものと同一のものを用いているが、支柱受け部４は曲面部４１の曲率が大きくなされ、より外径の大きい支柱２０Ｂに沿うことができるようになされている。支柱受け部４は（ａ）と同じく取付手段５を用いて中空状本体１の取付板部１４に取り付けが可能であり、支柱受け部４のみを変更するのみで複数種類の外径の支柱２０に対して中空状本体１を強固に取り付けることが可能となされている。
【００１８】
尚、図２における再帰反射性標識体１０は、図中下方からの前照灯からの光等に対して再帰反射するようになされた、例えば中央分離帯の端部に設けられるようなものであり、断面六角形を形成する下方三面については、取付溝１３に再帰反射体２が取り付けられているが、他方の三面については再帰反射性を有さない合成樹脂製のカバー材Ｃが取り付けられている。交差点の中央のような、周囲全体からの光を再帰反射させる必要がある場合には、六面全てに再帰反射体２を取り付けてもよく、また断面は六角形のものに限らず、四角形や八角形等、再帰反射の必要性に応じて適宜の形状としてもよい。
【００１９】
図３は、図２の直接取付部１１及び間接取付部１２として用いられた枠体Ｗを示す断面図である。枠体Ｗはアルミニウムの押出により形成されたアルミニウム押出形材であり、外面には相対向して設けられた取付溝１３、内面には僅かに曲面となされた支柱当接部３が設けられ、支柱当接部３には支柱２０表面に食い込んで再帰反射性標識体１０の回転を防ぐための凸状部３１が間隔をおいて複数設けられている。支柱当接部３は支柱２０外面の１／１０〜１／２０程度当接するようになされたもので、幅がそれ程広くなされていないことで支柱２０の外径が変化しても２点のみでの当接にならないように図られている。更に内面には、中空状本体１における上端及び下端にキャップ等を取り付けるためのビスホールＷ１が設けられている。かかる枠体Ｗが、図中上下逆に二体用いられ、固定用縁部１５により取り付けられるが、固定用縁部１５は左右で厚みが異なるものとなされており、固定用縁部１５が重ね合わされて締結手段１６により締結される際に厚みの大きい固定用縁部１５Ａが内側に来るようになされていることで、締結手段１６を固定する基礎となる内側の固定用縁部１５の強度が高められて取り付けにおける安定性が高められるようになされている。また固定用縁部１５Ａ及び１５Ｂは、厚みが相違していると共に枠体Ｗから突設される位置がずらされていることで、締結手段１６により固定された際に支柱２０が中空状本体１の中心からずれないようになされている。
【００２０】
図４及び図５は、支柱２０に対する再帰反射性標識体１０の取り付けを示すもので、まず図４は横断面図であるが、便宜上再帰反射体２及びカバー材Ｃは図示を省略している。まず支柱２０に直接取付部１１が嵌着され、支柱２０に直接取付部１１内面に設けられた支柱当接部３が当接される。更に支柱当接部３の反対側から支柱受け部４が取り付けられ、曲面部４１内面に支柱２０の外面が当接される。この状態で、ビスである取付手段５が取付部４２に挿通されると共に、直接取付部１１の取付板部１４に螺着され、取付手段５が締め込まれることで曲面部４１と支柱当接部３との間に挟持され、曲面部４１が支柱２０の外径の曲率となされていることで、支柱受け部４との接触面積が大きくなされて支柱２０への取り付けが強固なものとなされている。取付手段５の取り付けに際しては、間接取付部１２が取り付けられていない状態で行うことができるので、周囲のスペースが大きくなることでして取り付けに係わる作業は容易なものとなり得る。最後に直接取付部１１の固定用縁部１５と間接取付部１２の固定用縁部１５とを重ね合わせ、締結手段（本図においては図示せず）により締結することで再帰反射性標識体１０が形成される。ここで、固定用縁部１５は締結手段の頭部分の厚みだけ内方に凹まされていることで、締結手段が目立ちにくくなされて締結手段により美観が損なわれることを防止している。
【００２１】
図５は、再帰反射性標識体１０の取り付けにおける側面図である。支柱受け部４により直接取付部１１が取り付けられており、支柱受け部４は直接取付部１１の上下方向全体に亘って設けておいてもよいが、取り付け強度が過剰となる場合があり、本実施形態においては直接取付部１１の上下方向の１／３程度としている。支柱受け部４を設ける割合は強度に応じて適宜決定してよく、その割合が大きいほど材料を節減でき、ひいては本発明によってもたらされる利点である支柱２０の外径に応じて支柱受け部４のみを交換する点において、支柱受け部４の在庫量等を節減することができその利点を更に向上させることができる。
【００２２】
固定用縁部１５には、上下対称となる位置に締結孔１５１が設けられており、同じ部材を用いた場合に締結孔１５１の位置が一致するようになされると共に、上下端の位置が一致するようになされている。かかる締結孔１５１を重ね合わせて締結手段により固定用縁部１５同士を固定することで再帰反射性標識体１０が形成される。
【００２３】
中空状本体１を形成するには、直接取付部１１及び間接取付部１２に分割することで取り付けの便宜が図られて好ましいが、その方式に限定されるものではなく一体に形成して支柱受け部４を取り付けるようにしてもよい。また形成については、取付溝１３等複雑な形状を容易に形成可能な押出成形により形成するのが好ましいが、それに限定されるものではなく鋼板の折り曲げ材等を用いてもよい。また形成する材料は強度及び靱性の高い金属材料が好ましく、軽量で成形が容易であるアルミニウム又はその合金が好適であるが、それに限定されず鉄鋼、ステンレス、亜鉛等を用いてもよく、更には強度がそれ程必要とされない場合には、ＡＢＳ樹脂等の合成樹脂を用いて形成してもよい。
【００２４】
再帰反射体２は取付溝１３への取り付けが可能であればプリズム反射体に限定されるものではなく、ガラスビーズ反射体や、公知の反射シート等を用いることもできる。
【図面の簡単な説明】
【００２５】
【図１】本発明に係わる再帰反射性標識体の、実施の一形態を示す斜視図である。
【図２】図１のＡ−Ａ断面図である。
【図３】本発明に係わる中空状本体を形成する枠体を示す断面図である。
【図４】本発明に係わる再帰反射性標識体の、形成の状態を示す横断面図である。
【図５】本発明に係わる再帰反射性標識体の、形成の状態を示す側面図である。
【符号の説明】
【００２６】
１    中空状本体
１１  直接取付部
１２  間接取付部
１３  取付溝
２    再帰反射体
３    支柱当接部
４    支柱受け部
５    取付手段
１０  再帰反射性標識体
２０  支柱
【図１】
0004682025.tif 000002
【図２】
0004682025.tif 000003
【図３】
0004682025.tif 000004
【図４】
0004682025.tif 000005
【図５】
0004682025.tif 000006